(57)【要約】【課題】電子機器における複数の状態の識別表示を、優れた省スペース性をもって実現する。【解決手段】相互に異なる波長を有する複数の光源１３を、相互に近接させて設けるとともに、前記複数の光源１３からの照射光を臨むひとつの窓１５を設け、前記複数の光源１３のそれぞれを、電子機器における複数の状態毎に関連付けて点灯又は消灯させ、この点灯又は消灯している１又は複数の光源１３からの照射光を、前記窓１５を介して一括視認させることにより、前記複数の状態を識別表示するようにした。【選択図】  図１
2008160538.tif 000002
【特許請求の範囲】
【請求項１】
電子機器における複数の状態を識別表示するための状態表示方法であって、
相互に異なる波長を有する複数の光源を、相互に近接させて設けるとともに、前記複数の光源からの照射光を臨むひとつの窓を設け、
前記複数の光源のそれぞれを、前記複数の状態毎に関連付けて点灯又は消灯させ、この点灯又は消灯している１又は複数の光源からの照射光を、前記窓を介して一括視認させることにより、前記複数の状態を識別表示する
ことを特徴とする状態表示方法。
【請求項２】
請求項１記載の状態表示方法であって、
前記複数の光源は、光の三原色からなる
ことを特徴とする状態表示方法。
【請求項３】
請求項１又は２記載の状態表示方法であって、
前記複数の光源は、相互にほぼ等しい光強度とされる
ことを特徴とする状態表示方法。
【請求項４】
電子機器における複数の状態を識別表示するための状態表示装置であって、
相互に異なる波長を有するとともに、相互に近接させて設けられる複数の光源と、
前記複数の光源からの照射光を臨むように設けられるひとつの窓と、
前記複数の光源のそれぞれを、前記複数の状態毎に関連付けて点灯又は消灯させる制御手段と、
を備え、
前記制御手段の動作によって点灯又は消灯している１又は複数の光源からの照射光を、前記窓を介して一括視認させることにより、前記複数の状態を識別表示する
ことを特徴とする状態表示装置。
【請求項５】
請求項４記載の状態表示装置であって、
前記制御手段は、前記複数の各光源毎に独立して設けられる
ことを特徴とする状態表示装置。
【請求項６】
請求項４又は５記載の状態表示装置であって、
前記複数の光源は、光の三原色からなる
ことを特徴とする状態表示装置。
【請求項７】
請求項４〜６のいずれかに記載の状態表示装置であって、
前記複数の光源は、相互にほぼ等しい光強度とされる
ことを特徴とする状態表示装置。
【発明の詳細な説明】
【技術分野】
【０００１】
本発明は、例えばプリンタ、複写機、ファクシミリ、スキャナ、デジタル複合機などの電子機器における複数の状態を識別表示するための状態表示方法に係り、特に、複数の状態の識別表示を、優れた省スペース性をもって実現可能な状態表示方法、及び状態表示装置に関する。
【背景技術】
【０００２】
一般に、プリンタ、複写機、ファクシミリ、スキャナ、デジタル複合機などの電子機器には、各種の状態表示を行うための表示部が設けられている。例えば、ファクシミリ機能などの周辺機能を装備し、複数の節電状態を有するデジタル複合機において、操作パネルに設けた状態遷移表示部に電源を常時供給し、それぞれの節電状態の遷移に伴って現在の節電状態を示す状態名などを視認可能に表示する技術が知られている（特許文献１）。
【０００３】
しかしながら、上記従来技術によれば、現在の節電状態を表示するために相応のスペースが必要であり、省スペース性の要請に応えることはできない。
【０００４】
【特許文献１】特開２００２−２７８３７８号公報
【発明の開示】
【発明が解決しようとする課題】
【０００５】
解決しようとする問題点は、電子機器における複数の状態の識別表示を、優れた省スペース性をもって実現することはできなかった点である。
【課題を解決するための手段】
【０００６】
本発明は、上記従来技術の課題に着目し、電子機器における複数の状態の識別表示を、優れた省スペース性をもって実現することを目的として、電子機器における複数の状態を識別表示するための状態表示方法であって、相互に異なる波長を有する複数の光源を、相互に近接させて設けるとともに、前記複数の光源からの照射光を臨むひとつの窓を設け、前記複数の光源のそれぞれを、前記複数の状態毎に関連付けて点灯又は消灯させ、この点灯又は消灯している１又は複数の光源からの照射光を、前記窓を介して一括視認させることにより、前記複数の状態を識別表示することを最も主要な特徴とする。
【発明の効果】
【０００７】
本発明に係る状態表示方法によれば、相互に異なる波長を有する複数の光源を、相互に近接させて設けるとともに、前記複数の光源からの照射光を臨むひとつの窓を設け、前記複数の光源のそれぞれを、前記複数の状態毎に関連付けて点灯又は消灯させ、この点灯又は消灯している１又は複数の光源からの照射光を、前記窓を介して一括視認させることにより、前記複数の状態を識別表示するので、従って、ユーザは、ひとつの窓から照射されてくる単色若しくは混色光を視認することを通じて、電子機器における複数の状態を識別することが可能となる結果として、電子機器における複数の状態の識別表示を、優れた省スペース性をもって実現することができる。
【発明を実施するための最良の形態】
【０００８】
電子機器における複数の状態の識別表示を、優れた省スペース性をもって実現するといった目的を、相互に異なる波長を有する複数の光源を、相互に近接させて設けるとともに、前記複数の光源からの照射光を臨むひとつの窓を設け、前記複数の光源のそれぞれを、電子機器における複数の状態毎に関連付けて点灯又は消灯させ、この点灯又は消灯している１又は複数の光源からの照射光を、前記窓を介して一括視認させることにより、前記複数の状態を識別表示する状態表示方法により実現した。
【実施例】
【０００９】
以下、本発明に係る状態表示方法、及び状態表示装置について、図面を参照しつつ詳細に説明する。なお、以下において、本発明を、携帯電話機に適用した例をあげて説明してゆく。
【００１０】
［携帯電話機に搭載された状態表示装置］
図１は、本発明の一実施例に係る状態表示装置の概略構成を示すブロック図である。
【００１１】
図１に示すように、携帯電話機に搭載された状態表示装置１１は、光の３原色（赤：Ｒ・緑：Ｇ・青：Ｂ）からなる３原色ＬＥＤ群（本発明の「複数の光源」に相当）１３を備えている。３原色ＬＥＤ群１３は、赤色発光をするＲ−ＬＥＤ１３ａ、緑色発光をするＧ−ＬＥＤ１３ｂ、及び青色発光をするＢ−ＬＥＤ１３ｃを含み、これらを各別に正三角形の頂点位置に均等配置して構成されている。３原色ＬＥＤ群１３の光照射方向には、ひとつの透過窓１５（本発明の「窓」に相当）が、３原色ＬＥＤ群１３から照射されてきた光を外部から臨み得るように設けられている。
【００１２】
３原色ＬＥＤ群１３ａ，１３ｂ，１３ｃにおける各アノード端子は、抵抗群１９ａ，１９ｂ，１９ｃを介して直流電源１７に接続される一方、その各カソード端子は、トランジスタ群２１ａ，２１ｂ，２１ｃを介して接地されている。
【００１３】
トランジスタ群２１ａ，２１ｂ，２１ｃにおける各ベース端子は、第１，第２，第３制御部２３ａ，２３ｂ，２３ｃにそれぞれ接続されている。これにより、第１，第２，第３制御部２３ａ，２３ｂ，２３ｃから送信されてくる制御信号に従って、トランジスタ群２１ａ，２１ｂ，２１ｃがそれぞれオンオフ制御されて、かかるオンオフ制御に従って、３原色ＬＥＤ群１３ａ，１３ｂ，１３ｃが、点灯又は消灯するように構成されている。
【００１４】
第１〜第３制御部２３は、格別に設けられたＣＰＵ（不図示）に固有のプログラムに従って、相互に独立した系統の動作を行うように構成されている。具体的には、例えば、第１制御部２３ａは電話着信機能制御を担当し、第２制御部２３ｂはメール送受信機能制御を担当し、第３制御部２３ｃはマナーモードの表示を含むその他の機能制御を担うように構成されている。
【００１５】
次に、上述のように構成された状態表示装置１１の動作について説明すると、電話着信があった場合には、第１制御部２３ａは、第１トランジスタ２１ａ宛に制御信号を送信することでこれをオンさせ、これを受けてＲ−ＬＥＤ１３ａは点灯する。このとき、透過窓１５を介して照射されてきた赤色光を視認することを通じて、ユーザは電話着信があった旨を知ることができる。なお、電話着信があった場合において、Ｒ−ＬＥＤ１３ａを消灯させる（この場合、電話着信なしのときには点灯）か、又は、点灯と消灯を交互に繰り返す（この場合、電話着信なしのときには消灯）ように制御してもよい。かかる点灯と消灯を交互に繰り返す態様は、本発明の「点灯又は消灯」の概念に含まれる（以下、同様）。
【００１６】
また、電子メール受信があった場合には、第２制御部２３ｂは、第２トランジスタ２１ｂ宛に制御信号を送信することでこれをオンさせ、これを受けてＧ−ＬＥＤ１３ｂは点灯する。このとき、透過窓１５を介して照射されてきた緑色光を視認することを通じて、ユーザは電子メール受信があった旨を知ることができる。なお、電子メール受信があった場合において、Ｇ−ＬＥＤ１３ｂを消灯させる（この場合、電子メール受信なしのときには点灯）か、又は、点灯と消灯を交互に繰り返す（この場合、電子メール受信なしのときには消灯）ように制御してもよい。
【００１７】
さらに、携帯電話機がマナーモードに設定されている場合には、第３制御部２３ｃは、第３トランジスタ２１ｃ宛に制御信号を送信することでこれをオンさせ、これを受けてＢ−ＬＥＤ１３ｃは点灯する。このとき、透過窓１５を介して照射されてきた青色光を視認することを通じて、ユーザはマナーモードに設定されている旨を知ることができる。なお、マナーモードに設定されている場合において、Ｂ−ＬＥＤ１３ｃを消灯させる（この場合、マナーモードに設定されていないときには点灯）か、又は、点灯と消灯を交互に繰り返す（この場合、マナーモードに設定されていないときには消灯）ように制御してもよい。
【００１８】
次に、携帯電話機がマナーモードに設定されている場合に、電話着信があった場合には、上述したように、Ｂ−ＬＥＤ１３ｃ、及びＲ−ＬＥＤ１３ａの両者が点灯することになる。このとき、透過窓１５を介して照射されてきた青色光と赤色光の混色光であるマゼンタ（Ｍ）色を視認することを通じて、ユーザはマナーモードに設定されているときに電話着信があった旨を知ることができる。
【００１９】
一方、携帯電話機がマナーモードに設定されている場合に、電子メール受信があった場合には、上述したように、Ｂ−ＬＥＤ１３ｃ、及びＧ−ＬＥＤ１３ｂの両者が点灯することになる。このとき、透過窓１５を介して照射されてきた青色光と緑色光の混色光であるシアン（Ｃ）色を視認することを通じて、ユーザはマナーモードに設定されているときに電子メール受信があった旨を知ることができる。
【００２０】
また、電話着信があった場合において、さらに電子メール受信があった場合には、上述したように、Ｒ−ＬＥＤ１３ａ、及びＧ−ＬＥＤ１３ｂの両者が点灯することになる。このとき、透過窓１５を介して照射されてきた赤色光と緑色光の混色光である黄（Ｙ）色を視認することを通じて、ユーザは電話着信と電子メール受信の双方があった旨を知ることができる。
【００２１】
［実施例の効果］
以上説明したように、本発明に係る状態表示装置１１によれば、ひとつの透過窓１５から照射されてきた単一光又は混色光を一括視認することを通じて、ユーザが携帯電話機における複数の状態を識別して認識することが可能となる結果として、携帯電話機における複数の状態の識別表示を、優れた省スペース性をもって実現することができる。
【００２２】
また、本発明に係る状態表示装置１１では、３原色ＬＥＤ群１３として、Ｒ−ＬＥＤ１３ａ、Ｇ−ＬＥＤ１３ｂ、及びＢ−ＬＥＤ１３ｃを各ひとつづつ採用しているので、赤、緑、青、マゼンダ(赤＋青)、黄（赤＋緑）、シアン（青＋緑）、白（赤＋青＋緑）、及び全て消灯の、８通りの色が表示できる。従って、本発明に係る状態表示装置１１によれば、少なくとも８通りの携帯電話機における状態を、ひとつの窓からの照射光を介して、ユーザに識別表示することができる。
【００２３】
［他の実施例］
次に、本発明に係る他の実施例について、図２を参照して説明する。図２は、本発明の他の実施例に係る状態表示装置の要部を示す。なお、図２に示すＬＥＤ群は、図１に示すＬＥＤ群１３と基本構成が共通であるため、その重複した説明を省略し、両者の相違点について言及する。すなわち、図１に示す３原色ＬＥＤ群１３では、Ｒ−ＬＥＤ１３ａ、Ｇ−ＬＥＤ１３ｂ、及びＢ−ＬＥＤ１３ｃを各別に正三角形の頂点位置に均等配置しているのに対し、図２に示す３原色ＬＥＤ群２５では、Ｒ−ＬＥＤ２５ａ、Ｒ−ＬＥＤ２５ｂ、Ｇ−ＬＥＤ２５ｃ、及びＢ−ＬＥＤ２５ｄを各別に正四角形の頂点位置に均等配置して構成してある。本発明の他の実施例に係る状態表示装置１１によれば、携帯電話機における複数の状態の識別表示を、さらに優れた省スペース性をもって実現することができる。すなわち、本発明の他の実施例に係る状態表示装置１１では、３原色ＬＥＤ群２５として、Ｒ−ＬＥＤ２５ａ、Ｒ−ＬＥＤ２５ｂ、Ｇ−ＬＥＤ２５ｃ、及びＢ−ＬＥＤ２５ｄを各ひとつづつ採用しているので、３原色ＬＥＤ群１３における８通りに、濃い赤（赤２つ点灯）、赤みがかったマゼンダ（赤２つ＋青）、オレンジ（赤２つ＋緑）、薄い赤（赤２つ＋緑＋青）を加えて、都合１２通りの色が表示できる。従って、本発明の他の実施例に係る状態表示装置１１によれば、少なくとも１２通りの携帯電話機における状態を、ひとつの窓からの照射光を介して、ユーザに識別表示することが可能となる結果として、携帯電話機における複数の状態の識別表示を、さらに優れた省スペース性をもって実現することができる。
【００２４】
［その他］
本発明は、上述した実施例に限られるものではなく、請求の範囲及び明細書全体から読み取れる発明の要旨、あるいは技術思想に反しない範囲で適宜変更可能であり、そのような変更を伴う状態表示方法、及び状態表示装置もまた、本発明における技術的範囲の射程に包含されるものである。
【００２５】
すなわち、本発明実施例において、第１〜第３制御部２３は、格別に設けられたＣＰＵに固有のプログラムに従って、相互に独立した系統の動作を行う例をあげて説明したが、本発明はかかる実施例に限定されるものではなく、例えば、第１〜第３制御部を、一つのＣＰＵに固有のプログラムに従って総括的な動作を行うものとして構成してもよい。
【００２６】
また、本発明実施例において、複数の光源として、３原色ＬＥＤ群を例示して説明したが、本発明はかかる実施例に限定されるものではなく、二以上の、相互に異なる波長を有する光源であれば、本発明の複数の光源として採用可能である。
【００２７】
最後に、本発明実施例において、本発明を、携帯電話機に適用した例をあげて説明したが、本発明はかかる実施例に限定されるものではなく、例えば、携帯型音楽プレイヤーを含む携帯情報端末、バーコードリーダ、カーナビゲーション装置、各種デジタル家電、自動車、航空機、工作機械、ロボットなどの、電子機器を搭載した広範囲にわたる製品における各種状態を表示する用途に適用可能であることはいうまでもない。
【図面の簡単な説明】
【００２８】
【図１】本発明の一実施例に係る状態表示装置の概略構成を示すブロック図である。
【図２】本発明の別の実施例に係る状態表示装置の要部を示す説明図である。
【符号の説明】
【００２９】
１１  状態表示装置
１３  ３原色ＬＥＤ群（複数の光源）
１５  透過窓（窓）
１７  電源
１９  抵抗群
２１  トランジスタ群
２３  第１，第２，第３制御部（制御手段）
２５  別の実施例に係る３原色ＬＥＤ群（複数の光源）
【図１】
2008160538.tif 000003
【図２】
2008160538.tif 000004